【事件の表示】
　平成１１年特許願第２５８２１４号「磁気ヘッド」拒絶査定不服審判事件〔平成１３年　２月２７日出願公開、特開２００１−　５６９０２〕について、次のとおり審決する。
【結　論】
　本件審判の請求は、成り立たない。
【理　由】
１　手続の経緯、本願発明
　本願は、平成１１年９月１３日（優先権主張平成１１年６月１１日）の出願であって、平成１８年３月１３日付けで手続補正がなされたが、平成１８月５月２９日付けで拒絶査定がなされ、これに対し、平成１８年７月６日に拒絶査定不服審判が請求されたものである。
　本願の請求項１に係る発明（以下、同項記載の発明を「本願発明」という。）は、平成１８年３月１３日付け手続補正書の特許請求の範囲の請求項１に記載された事項により特定される、以下のとおりのものである。
　「【請求項１】　記録領域の温度上昇部位に対して記録情報に応じて変化する磁界を印加する磁気ヘッドにおいて、
　一端面が磁性体上に設けられた柱状の唯一の磁極と、
　上記磁極の周りに巻回されてなり、上記磁界を発生させるための電流を印加するコイルとを備え、
　上記コイルは上記磁極と接触しないように巻回され、上記磁性体上に、直接接触するように、あるいは、接着剤によって接着されて、設けられていることを特徴とする磁気ヘッド。」
　
２　引用例
（１）原査定の拒絶の理由で引用された特開平８−２４９７４３号公報（以下「引用例１」という。）には、次の事項が記載されている。（なお、下線は当審で付与した。）
　（ア）「【請求項１】　
導体箔と絶縁層からなる積層体が巻き回された空芯コイルと、磁性材からなり、基部及び基部から突出して上記空芯コイルの空芯部に嵌め込まれる中ヨークを有するヨークとを備えた外部磁界発生ヘッドにおいて
上記空芯コイルと中ヨークの壁面はシリコン系樹脂又はシリコン系接着剤によって絶縁されていることを特徴とする外部磁界発生ヘッド
【請求項２】　空芯コイルが２個以上重ねあわせられ、各空芯コイル相互間がシリコン系樹脂又はシリコン系接着剤によって絶縁されている請求項１記載の外部磁界発生ヘッド。」（特許請求の範囲）
　（イ）「【０００１】
【産業上の利用分野】本発明は、例えば光磁気ディスク駆動装置等に適用可能な外部磁界発生ヘッドに関する。」
　（ウ）「【０００２】
【従来の技術】垂直磁化が可能な信号記録層を有し、この信号記録層の垂直磁化方向の違いにより情報信号を記録するようにした光磁気ディスク装置が知られている。この光磁気ディスク装置の概要を図８に示す。（略）
【０００５】周知のように、
光磁気ディスク２４の極めて微小な所定領域に、光ピックアップ装置２８からレーザビームが照射されると、照射部分の温度がキュリー温度以上に上昇する。キュリー温度以上に上昇した光磁気ディスク２４の所定領域は、外部磁界発生ヘッド２１によって印加されている外部磁界により、この外部磁界と同じ向きに垂直方向に磁化される
【０００６】上記外部磁界発生ヘッド２１の従来例を図７に示す。図において、外部磁界発生ヘッド２１は、空芯コイル４０とこの空芯コイル４０の空芯部に嵌め込まれたヨーク３１とを有してなる。（略）ヨーク３１は、基部３１ａと、この基部３１ａから突出した中ヨーク３１ｂとを有してなり、中ヨーク３１ｂが空芯コイル４０の空芯部に嵌め込まれている。ヨーク３１と空芯コイル４０との間を絶縁するために、ヨーク３１と空芯コイル４０との間には、有機高分子樹脂、例えばポリアミドなどからなる絶縁シート３２が介在している。絶縁シート３２はヨーク３１の基部３１ａの上に敷かれるとともに中ヨーク３１ｂの周りに巻きつけられ、この絶縁シート３２の上及び周りから空芯コイル４０が配置されている。」
　（エ）「【００１０】
【作用】空芯コイルと中ヨークの壁面を絶縁するシリコン系樹脂又はシリコン系接着剤は熱伝導性が良好であり、
空芯コイルに通電することによって発生する熱は、シリコン系樹脂又はシリコン系接着剤と中ヨークを通じてヨークに伝達され、ヨークから放熱される
空芯コイルに通電することによって発生する熱が、シリコン系樹脂又はシリコン系接着剤を通じてヨークに伝達され、効率よく放熱される
　（オ）「【００１１】
【実施例】（略）図１、図４において、外部磁界発生ヘッド１０は、空芯コイル３とこの空芯コイル３の空芯部に嵌め込まれたヨーク１とを有してなる。空芯コイル３は、図４に示すように、導体箔７と絶縁層８からなる積層体が巻き回されたもの、より具体的には、この積層体が巻き回されたものをさらに所定の厚さに切断（スライス）したものである。空芯コイル３は、平面形状が長円形になっており、内周側に巻き初め側の電極３ａを、外周側に巻き終わり側の電極３ｂを有している。ヨーク１は、基部１ａと、この基部１ａから突出した中ヨーク１ｂとを有してなり、中ヨーク１ｂが空芯コイル３の空芯部に嵌め込まれている。」
　（カ）「【００１４】（略）また、空芯コイル３は、前述のように導体箔７と
絶縁層８
上記絶縁層８もシリコン系樹脂又はシリコン系接着剤によって形成する
　（キ）「【００１５】（略）図５、図６に示す
外部磁界発生ヘッド１０’は、重ねあわせられた二つの空芯コイル１２，１３とこれら空芯コイル１２，１３の空芯部に中ヨーク１ｂが嵌め込まれたヨーク１とを有してなる
【００１６】
空芯コイル１２，１３の内周面と中ヨーク１ｂの外壁面との間には間隙が形成されている
中ヨーク１ｂの長手方向両端の壁面と空芯コイル１２，１３の空芯部両端の壁面との間に間隙が形成されている
これらの間隙には絶縁体１６が充填されている
空芯コイル１２，１３の端面とヨーク１の基部１ａとの対向面間にも絶縁体１７が介在している
これらの絶縁体１６，１７として、
シリコン系樹脂又はシリコン系接着剤が用いられる
【００１７】以上説明した図５、図６に示す実施例も、
シリコン系樹脂又はシリコン系接着剤からなる絶縁体１６，１７が、空芯コイル１２，１３への通電で発生した熱を効率よくヨーク１に伝達し、空芯コイル１２，１３の温度上昇を抑制して
【００１８】なお、図５、図６に示す実施例のように、空芯コイルが２個以上重ねあわせられる場合、各空芯コイル１２，１３相互間が絶縁体１７によって絶縁される。そこで、この各空芯コイル１２，１３相互間の絶縁体１７も熱伝導性に優れたシリコン系樹脂又はシリコン系接着剤で形成する。こうすれば、上記絶縁体１７を通じて空芯コイル１２，１３相互間に熱が効率よく伝達され、空芯コイル１２，１３からは別の絶縁体を通じてヨーク１に熱が効率よく伝達されるため、空芯コイル１２，１３の温度上昇が抑制され、必要な磁界を得るのに必要な電流の増大を抑制することができ、低消費電力化することができる。」
　（ク）図１、図２、図５、図６には、ヨークの基部１ａから突出した中ヨーク１ｂが柱状であることが図示されている。
　
３　対比・判断
（１）対比
　本願発明と引用例１に記載された発明とを対比する。
　引用例１には、特に上記２（ア）（キ）（下線部参照）に摘示した記載事項によれば、
　「空芯コイルと、磁性材からなり、基部及び基部から突出して空芯コイルの空芯部に嵌め込まれる中ヨークを有するヨークとを備えた外部磁界発生ヘッドにおいて、
　空芯コイルと中ヨークの壁面はシリコン系樹脂又はシリコン系接着剤によって絶縁され、
　空芯コイルの端面とヨークの基部との対向面間に絶縁体が介在し、絶縁体として、シリコン系樹脂又はシリコン系接着剤が用いられてなる、外部磁界発生ヘッド。」
　の発明が記載されている。
　
　引用例１に記載された発明の「ヨーク」における「基部」と「中ヨーク」は、それぞれ本願発明の「磁性体」と「磁極」に相当している。
　引用例１に記載された発明において、「中ヨーク」は、「基部から突出して」かつ柱状である（上記（ク）参照）から、本願発明の「一端面が磁性体上に設けられた柱状の唯一の磁極」に相当する構成を備えている。
　引用例１に記載された発明の「空芯コイル」は、本願発明の「コイル」に相当し、本願発明の「磁極の周りに巻回されてなり」、「磁界を発生させるための電流を印加するコイル」に相当する構成を備えている。
　引用例１に記載された発明の「外部磁界発生ヘッド」は、「周知のように、光磁気ディスク２４の極めて微小な所定領域に、光ピックアップ装置２８からレーザビームが照射されると、照射部分の温度がキュリー温度以上に上昇する。キュリー温度以上に上昇した光磁気ディスク２４の所定領域は、外部磁界発生ヘッド２１によって印加されている外部磁界により、この外部磁界と同じ向きに垂直方向に磁化される。」（上記（ウ）参照）ためのヘッドであり、本願発明の「記録領域の温度上昇部位に対して記録情報に応じて変化する磁界を印加する磁気ヘッド」に相当する構成を実質的に備えている。
　引用例１に記載された発明は、「空芯コイルの端面とヨークの基部との対向面間に絶縁体が介在し、絶縁体として、シリコン系樹脂又はシリコン系接着剤が用いられてなる」ものであり、即ちコイルの端面とヨークの基部との対向面間にシリコン系接着剤を介在する構成であるから、本願発明の「コイル」が、「磁性体上に」、「接着剤によって接着されて、設けられている」に相当する構成を実質的に備えている。
　
　そうすると、本願発明と引用例１に記載された発明は、
　「記録領域の温度上昇部位に対して記録情報に応じて変化する磁界を印加する磁気ヘッドにおいて、
　一端面が磁性体上に設けられた柱状の唯一の磁極と、
　上記磁極の周りに巻回されてなり、上記磁界を発生させるための電流を印加するコイルとを備え、
　上記コイルは、上記磁性体上に、接着剤によって接着されて、設けられていることを特徴とする磁気ヘッド」
　である点で一致しており、以下の点で一応相違している。
　
　（相違点１）　「コイル」について、本願発明では、「磁極と接触しないように巻回され」と特定されているのに対し、引用例１に記載された発明では、そのように特定されていない点。
　
（２）相違点についての判断
　コイルと磁極の関係について、引用例１に記載された発明では、「空芯コイルと中ヨークの壁面はシリコン系樹脂又はシリコン系接着剤によって絶縁され」ているものであり、より具体的には、例えば、「空芯コイル１２，１３の内周面と中ヨーク１ｂの外壁面との間には間隙が形成されている。（略）これらの間隙には絶縁体１６が充填されている。」（段落１６）と記載され、コイルと中ヨークとは、絶縁体を介しており直接接触しないものであることが明らかであるから、「接触しないように巻回され」ているといえる。
　さらに、引用例１に記載された発明では、「接触しないように巻回され」ているといえるものの、請求人は、引用例１に記載された発明では、具体的には絶縁体を介しているのに対し、本願発明では、絶縁体を設けずに空隙である構成について相違していると、主張しているので、以下検討する。
　コイルと、コイルの巻回される磁極と関係は、絶縁性を保つために、絶縁体を設けたり、絶縁体を設けずに空隙とすることが、当業者にとって周知の技術であって、原審で引用された特開平１０−２８３６０４号公報（段落２８等参照）にも記載されているとおりであり、引用例１に記載された発明において、そのコイルが磁極と接触せず空隙であるようにすることは、当業者が容易に想到しうることである。
　請求人は、本願発明では、引用例１のように絶縁体を介していないので、コイルに発生した熱は磁極に伝導されることなく磁性体に伝導されて放熱される構成であるので効果がある旨主張している。
　しかしながら、引用例１は、コイルに発生する熱が、最終的には磁性体に伝わり放熱される点ではその作用効果が共通している。そして、引用例１に記載された発明は、コイルが、「磁性体上に、接着剤によって接着されて、設けられていること」においては、本願発明と共通しているから、引用例１に記載された発明も、コイルに発生する熱が磁性体に直接伝導されて放熱される伝導経路をも備えているものである。
　そうすると、本願発明の作用効果が格別であるという請求人の主張は採用することができない。
　そして、上記相違点を総合的に検討しても、本願発明の効果は、引用例１に記載された発明から当業者であれば予測される範囲内であるので、上記相違点は、当業者が容易に想到し得たものである。
　
４　むすび
　したがって、本願発明は、本願出願前に頒布された引用例１に記載された発明に基いて当業者が容易に発明をすることができたものであるから、特許法第２９条第２項の規定により特許を受けることができない。他の請求項を検討するまでもなく、本願は拒絶すべきものである。
　よって、結論のとおり審決する。